(57)【要約】【課題】各取引先毎の要件を満たした帳票デザインの出力を１つの印刷プログラムで実行できるようにすることで、開発コストを低減した印字レイアウト切替装置を提供すること。【解決手段】本実施の形態に係る印字レイアウト切替装置は、１つの印刷プログラムに対して、複数の定義ＮＯと、各定義ＮＯについての定義名及び帳票デザインデータを読み出すための帳票デザインデータ特定情報とを関連づけて登録した帳票定義テーブルと、取引先コードと、取引先名と、定義ＮＯとを関連づけて登録した取引先マスタと、印刷プログラムを起動し、ユーザ入力される取引先ＣＤをキーとして、取引先マスタから定義ＮＯを取得し、取得した定義ＮＯをキーとして、帳票定義テーブルから帳票デザイン特定情報を取得し、取得した帳票デザイン特定情報により帳票デザインデータを読み込んで、帳票印字データを出力する。【選択図】図１
2019175381.tif 000002
【特許請求の範囲】
【請求項１】
制御部と記憶部を備えた印字レイアウト切替装置であって、
前記記憶部は、
１つの印刷プログラムに対して、複数の定義ＮＯと、各定義ＮＯについての定義名及び帳票デザインデータを読み出すための帳票デザインデータ特定情報とを関連づけて登録した帳票定義テーブルと、
取引先コードと、取引先名と、定義ＮＯとを関連づけて登録した取引先マスタと、
を備え、
前記制御部は、前記印刷プログラムを起動し、ユーザ入力される取引先ＣＤをキーとして、前記取引先マスタから定義ＮＯを取得し、取得した定義ＮＯをキーとして、前記帳票定義テーブルから帳票デザイン特定情報を取得し、取得した帳票デザイン特定情報により帳票デザインデータを読み込んで、帳票印字データを出力することを特徴とする印字レイアウト切替装置。
【請求項２】
前記帳票デザインデータは、各取引先の定型フォームであることを特徴とする請求項１に記載の印字レイアウト切替装置。
【請求項３】
制御部と記憶部を備えた情報処理装置で実行される印字レイアウト切替方法であって、
前記記憶部は、
１つの印刷プログラムに対して、複数の定義ＮＯと、各定義ＮＯについての定義名及び帳票デザインデータを読み出すための帳票デザインデータ特定情報とを関連づけて登録した帳票定義テーブルと、
取引先コードと、取引先名と、定義ＮＯとを関連づけて登録した取引先マスタと、
を備え、
前記制御部で実行される、前記印刷プログラムを起動し、ユーザ入力される取引先ＣＤをキーとして、前記取引先マスタから定義ＮＯを取得し、取得した定義ＮＯをキーとして、前記帳票定義テーブルから帳票デザイン特定情報を取得し、取得した帳票デザイン特定情報により帳票デザインデータを読み込んで、帳票印字データを出力するステップを含むことを特徴とする印字レイアウト切替方法。
【請求項４】
制御部と記憶部を備えた情報処理装置に実行させるための印字レイアウト切替プログラムであって、
前記記憶部は、
１つの印刷プログラムに対して、複数の定義ＮＯと、各定義ＮＯについての定義名及び帳票デザインデータを読み出すための帳票デザインデータ特定情報とを関連づけて登録した帳票定義テーブルと、
取引先コードと、取引先名と、定義ＮＯとを関連づけて登録した取引先マスタと、
を備え、
前記制御部で実行される、前記印刷プログラムを起動し、ユーザ入力される取引先ＣＤをキーとして、前記取引先マスタから定義ＮＯを取得し、取得した定義ＮＯをキーとして、前記帳票定義テーブルから帳票デザイン特定情報を取得し、取得した帳票デザイン特定情報により帳票デザインデータを読み込んで、帳票印字データを出力するステップを前記制御部に実行させるための印字レイアウト切替プログラム。
【発明の詳細な説明】
【技術分野】
【０００１】
本発明は、印字レイアウト切替装置、印字レイアウト切替方法、及び印字レイアウト切替プログラムに関する。
【背景技術】
【０００２】
例えば、取引先毎にデザインの要求が変化する対外帳票においては、それぞれ出力する帳票デザインを分けたい場面が発生する。従来の帳票印刷システムとして、例えば、特許文献１がある。特許文献１の帳票印刷システム１０では、コンピュータ１２の記憶装置１６には、帳票印刷プログラム１８、帳票定義ファイル２０、印刷色変換ファイル２２、線幅変換ファイル２４、および、帳票内容ファイル２６が記録される。線幅変換ファイル２４には、帳票定義情報に含まれる罫線幅に対応して、プリンタに対して指示すべき罫線幅を表す線幅変換情報がプリンタ機種毎に格納される。帳票印刷プログラム１８は帳票定義ファイル２０に基づき帳票印刷データを作成するが、その際、線幅変換ファイル２４に格納された、該当するプリンタ機種についての線幅変換情報に基づいて、帳票定義情報に含まれる罫線幅を変換する。
【先行技術文献】
【特許文献】
【０００３】
【特許文献１】特開２００４−３８５０６号公報
【発明の概要】
【発明が解決しようとする課題】
【０００４】
しかしながら、従来のシステム構造では、帳票定義と印刷プログラムが１：１に紐付けられていたため、各取引先毎に出力する帳票デザインを分ける場合、各取引先毎に要件を満たした印刷プログラムを開発する必要があり、大幅なコストが発生していた。
【０００５】
本発明は、上記に鑑みてなされたものであり、各取引先毎の要件を満たした帳票デザインの出力を１つの印刷プログラムで実行できるようにすることで、開発コストを低減した印字レイアウト切替装置、印字レイアウト切替方法、及び印字レイアウト切替プログラムを提供することを目的とする。
【課題を解決するための手段】
【０００６】
上述した課題を解決し、目的を達成するために、本発明は、制御部と記憶部を備えた印字レイアウト切替装置であって、前記記憶部は、１つの印刷プログラムに対して、複数の定義ＮＯと、各定義ＮＯについての定義名及び帳票デザインデータを読み出すための帳票デザインデータ特定情報とを関連づけて登録した帳票定義テーブルと、取引先コードと、取引先名と、定義ＮＯとを関連づけて登録した取引先マスタと、を備え、前記制御部は、前記印刷プログラムを起動し、ユーザ入力される取引先ＣＤをキーとして、前記取引先マスタから定義ＮＯを取得し、取得した定義ＮＯをキーとして、前記帳票定義テーブルから帳票デザイン特定情報を取得し、取得した帳票デザイン特定情報により帳票デザインデータを読み込んで、帳票印字データを出力することを特徴とする。
【０００７】
また、本実施の形態によれば、前記帳票デザインデータは、各取引先の定型フォームであることにしてもよい。
【０００８】
また、上述した課題を解決し、目的を達成するために、本発明は、制御部と記憶部を備えた情報処理装置で実行される印字レイアウト切替方法であって、前記記憶部は、１つの印刷プログラムに対して、複数の定義ＮＯと、各定義ＮＯについての定義名及び帳票デザインデータを読み出すための帳票デザインデータ特定情報とを関連づけて登録した帳票定義テーブルと、取引先コードと、取引先名と、定義ＮＯとを関連づけて登録した取引先マスタと、を備え、前記制御部で実行される、前記印刷プログラムを起動し、ユーザ入力される取引先ＣＤをキーとして、前記取引先マスタから定義ＮＯを取得し、取得した定義ＮＯをキーとして、前記帳票定義テーブルから帳票デザイン特定情報を取得し、取得した帳票デザイン特定情報により帳票デザインデータを読み込んで、帳票印字データを出力するステップを含むことを特徴とする。
【０００９】
また、上述した課題を解決し、目的を達成するために、本発明は、制御部と記憶部を備えた情報処理装置に実行させるための印字レイアウト切替プログラムであって、前記記憶部は、１つの印刷プログラムに対して、複数の定義ＮＯと、各定義ＮＯについての定義名及び帳票デザインデータを読み出すための帳票デザインデータ特定情報とを関連づけて登録した帳票定義テーブルと、取引先コードと、取引先名と、定義ＮＯとを関連づけて登録した取引先マスタと、を備え、前記制御部で実行される、前記印刷プログラムを起動し、ユーザ入力される取引先ＣＤをキーとして、前記取引先マスタから定義ＮＯを取得し、取得した定義ＮＯをキーとして、前記帳票定義テーブルから帳票デザイン特定情報を取得し、取得した帳票デザイン特定情報により帳票デザインデータを読み込んで、帳票印字データを出力するステップを前記制御部に実行させるための印字レイアウト切替プログラムであることを特徴とする。
【発明の効果】
【００１０】
本発明によれば、取引先毎の要件を満たした帳票デザインの出力を１つの印刷プログラムで実行できるようにすることで、開発コストを低減することが可能となるという効果を奏する。
【図面の簡単な説明】
【００１１】
【図１】図１は、本実施の形態に係る印字レイアウト切替装置の構成の一例を示すブロック図である。
【図２】図２は、帳票定義テーブルの構成例を示す図である。
【図３】図３は、取引先マスタの構成例を示す図である。
【図４】図４は、本実施の形態における印字レイアウト切替装置の全体の処理の一例を説明するためのフローチャートである。
【図５】図５は、Ａ社向け請求書を出力する流れを説明するための図である。
【図６】図６は、Ｃ社向け請求書を出力する流れを説明するための図である。
【発明を実施するための形態】
【００１２】
以下に、本発明に係る印字レイアウト切替装置、印字レイアウト切替方法、及び印字レイアウト切替プログラムの実施の形態を、図面に基づいて詳細に説明する。なお、本実施形態によりこの発明が限定されるものではない。
【００１３】
［１．概要］
例えば、取引先毎にデザインの要求が変化する対外帳票においては、それぞれ出力する帳票データを分けたい場面が発生する。しかしながら、従来のシステム構造では、帳票定義と印刷プログラムが１：１に紐付けられていたため、各取引先毎に出力する帳票デザインを分ける場合、各取引先毎に要件を満たした印刷プログラムを開発する必要があり、大幅なコストが発生していた。
【００１４】
そこで、本実施の形態では、１つの印刷プログラムと帳票定義を別管理し、割当設定を取引先毎に持たせることで１つの印刷プログラムに対して、複数の帳票定義の割当を可能とした。これにより、各取引先の要件を満たした帳票デザインの出力を１つのプログラムで行うことが可能となるため、開発コストの削減が可能となる。
【００１５】
［２．構成］
本実施の形態に係る印字レイアウト切替装置１００の構成について、図１を参照して説明する。図１は、本実施の形態に係る印字レイアウト切替装置１００の構成の一例を示すブロック図である。
【００１６】
印字レイアウト切替装置１００は、市販のデスクトップ型パーソナルコンピュータである。なお、印字レイアウト切替装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。  
【００１７】
印字レイアウト切替装置１００は、図１に示すように、制御部１０２と通信インターフェース部１０４と記憶部１０６と入出力インターフェース部１０８と、を備えている。印字レイアウト切替装置１００が備えている各部は、任意の通信路を介して通信可能に接続されている。
【００１８】
通信インターフェース部１０４は、ルータ等の通信装置および専用線等の有線または無線の通信回線を介して、印字レイアウト切替装置１００をネットワーク３００に通信可能に接続する。通信インターフェース部１０４は、他の装置と通信回線を介してデータを通信する機能を有する。ここで、ネットワーク３００は、印字レイアウト切替装置１００と端末装置とを相互に通信可能に接続する機能を有し、例えばインターネットやＬＡＮ（Ｌｏｃａｌ  Ａｒｅａ  Ｎｅｔｗｏｒｋ）等である。なお、後述する記憶部１０６に格納されるデータは、サーバに格納されてもよい。  
【００１９】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。また、ユーザが出力装置（モニタ）１１４の画面に表示して、入力装置１１２で操作することを、「ＵＩを介したユーザ操作」と記載する場合がある。
【００２０】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。
【００２１】
記憶部１０６は、帳票定義テーブル１０６ａ及び取引先マスタ１０６ｂ等を格納する。図２は、帳票定義テーブル１０６ａの構成例を示す図である。図３は、取引先マスタ１０６ｂの構成例を示す図である。
【００２２】
帳票定義テーブル１０６ａは、図２に示すように、１つの印刷プログラムと、同一帳票を別デザインの帳票として管理するための複数の定義ＮＯと、各定義ＮＯの定義名及び帳票デザインデータを読み出すための帳票デザインデータ特定情報とを関連づけて登録する。帳票デザインデータ特定情報は、帳票デザインデータを読み出すための情報であり、帳票デザインデータ自体、帳票デザインデータを読み出すためのパスやファイル等（例えば、「．ｄｌｌ」）とすることができる。
【００２３】
図２に示す帳票定義テーブル１０６ａの例では、印刷プログラム「Ｐｒｉｎｔ．Ｓｅｉｋｙｕｕｓｈｏ．ｅｘｅ」に４つの定義ＮＯが登録されており、定義ＮＯ「０」、定義名「請求書（オリジナル）」、帳票デザインデータ特定情報「バイナリデータ０」と、定義ＮＯ「１」、定義名「Ａ社様：請求書」、帳票デザインデータ特定情報「バイナリデータ１」と、定義ＮＯ「２」、定義名「Ｂ社様：請求書」、帳票デザインデータ特定情報「バイナリデータ２」と、定義ＮＯ「３」、定義名「Ｃ社様：請求書」、帳票デザインデータ特定情報「バイナリデータ３」が登録されている。
【００２４】
帳票デザインデータ特定情報の「バイナリデータ１」は請求書（オリジナル）の帳票デザインデータ、「バイナリデータ２」は、Ａ社仕様請求書の帳票デザインデータ、「バイナリデータ３」は、Ｂ社仕様請求書の帳票デザインデータ、「バイナリデータ０」は、Ｃ社仕様請求書の帳票デザインデータである。
【００２５】
なお、ここでは、帳票デザインデータ特定情報をバイナリデータ（ｂｉｎａｒｙ  ｄａｔａ）としているが帳票デザインデータを取得できる値（情報）であればなんでもよく、例えば、帳票デザインを記録したＷｏｒｄファイルやＥｘｃｅｌファイルのフォルダーパスとしてもよい。
【００２６】
例えば、帳票デザインデータは、ユーザがオリジナルデータを元に、各場面に適したデザインに編集して、帳票定義テーブル１０６ａに登録することにしてもよい。
【００２７】
取引先マスタ１０６ｂは、各取引先に対して、作成した帳票定義を割り当てるためのマスタである。取引先マスタ１０６ｂは、図３に示すように、取引先ＣＤと、取引先名と、定義ＮＯを対応づけて登録する。図３に示す例では、取引先ＣＤ「Ａ０００１」、取引先名「Ａ社」、定義ＮＯ「１」と、取引先ＣＤ「Ｂ０００１」、取引先名「Ｂ社」と、定義ＮＯ「２」と、取引先ＣＤ「Ｃ０００１」、取引先名「Ｃ社」、定義ＮＯ「３」と、取引先ＣＤ「Ｄ０００１」、取引先名「Ｄ社」、定義ＮＯ「０」とが登録されている。
【００２８】
制御部１０２は、印字レイアウト切替装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、メンテ部１０２ａと、プログラム実行部１０２ｂと、を備えている。
【００２９】
メンテ部１０２ａは、ユーザの指示に応じて、マスタ・テーブルのメンテ画面（不図示）を出力装置１１４に表示し、当該メンテ画面上でのユーザの操作に応じて、帳票定義テーブル１０６ａ及び取引先マスタ１０６ｂ等のデータの入力・変更・追加等の編集や登録を行う。
【００３０】
プログラム実行部１０２ｂは、プログラムを起動して実行するためのものである。プログラム実行部１０２ｂは、ＵＩを介したユーザ操作に応答して、印刷プログラムを起動し、画面に取引先ＣＤの入力欄を表示し、印刷時に、ユーザ入力される取引先ＣＤをキーとして、取引先マスタ１０６ｂから定義ＮＯを取得し、取得した定義ＮＯをキーとして、帳票定義テーブル１０６ａの帳票デザインデータ特定情報を取得し、取得した帳票デザイン特定情報により帳票デザインデータを読み込んで、印字データと帳票デザインデータをバインドした帳票印字データをプリンタ１１４から出力する。
【００３１】
［３．処理の具体例］
図１〜図６を参照して、本実施の形態における印字レイアウト切替装置１００の処理の具体例を説明する。まず、図１〜図４を参照して、本実施の形態における印字レイアウト切替装置１００の全体の処理の概略を説明する。図４は、本実施の形態における印字レイアウト切替装置１００の全体の処理の一例を説明するためのフローチャートである。
【００３２】
図４において、プログラム実行部１０２ｂは、ＵＩを介したユーザ操作に応答して、印刷プログラムを起動する（ステップＳ１）。プログラム実行部１０２ｂは、表示画面に取引先ＣＤの入力エリアを表示する（ステップＳ２）。ユーザは入力エリアに取引先ＣＤを入力する（ステップＳ３）。プログラム実行部１０２ｂは、取引先ＣＤをキーとして、取引先マスタ１０６ｂから定義ＮＯを取得する（ステップＳ４）。取得した定義ＮＯをキーとして、帳票定義テーブル１０６ａの帳票デザインデータ特定情報を取得し、プログラム実行部１０２ｂは、取得した帳票デザイン特定情報により帳票デザインデータを読み込む（ステップＳ５）。
【００３３】
プログラム実行部１０２ｂは、対象の印字データと読み込んだ帳票デザインデータをバインドした帳票印字データをプリンタ１１４から出力する（ステップＳ６）。
【００３４】
図５は、Ａ社向け請求書を出力する際の流れを説明するための図である。（Ｓ１）起動ファイル「Ｐｒｉｎｔ．Ｓｅｉｋｙｕｕｓｈｏ．ｅｘｅ」を起動する。（Ｓ２、Ｓ３）表示画面の取引先コードの入力エリアで取引先ＣＤ「Ａ０００１」を入力する。（Ｓ４）取引先ＣＤ「Ａ０００１」をキーとして、取引先マスタ１０６ｂから定義ＮＯ「１」を取得する。（Ｓ５）取得した定義ＮＯ「１」をキーとして、帳票定義テーブル１０６ａを参照し、帳票デザインデータ特定情報「バイナリデータ１」により帳票デザインデータ（Ａ社向け請求書の帳票）を読み出す。帳票デザインデータと印字データをバインドした帳票印字データを作成する。（Ｓ６）帳票印字データをプリンタ１１４から出力する。
【００３５】
図６は、Ｃ社向け請求書を出力する際の流れを説明するための図である。（Ｓ１）起動ファイル「Ｐｒｉｎｔ．Ｓｅｉｋｙｕｕｓｈｏ．ｅｘｅ」を起動する。（Ｓ２、Ｓ３）表示画面の取引先コードの入力エリアで取引先ＣＤ「Ｃ０００１」を入力する。（Ｓ４）取引先ＣＤ「Ｃ０００１」をキーとして、取引先マスタ１０６ｃを参照して、定義ＮＯ「３」を取得する。（Ｓ５）取得した定義ＮＯ「３」をキーとして、帳票定義テーブル１０６ａを参照して、帳票デザインデータ特定情報「バイナリデータ３」により帳票デザインデータ（Ｃ社向け請求書の帳票）を読み出す。帳票デザインデータと印字データをバインドした帳票印字データを作成する。（Ｓ６）帳票印字データをプリンタ１１４から出力する。  
【００３６】
以上説明したように、本実施の形態によれば、１つの印刷プログラムに対して、複数の定義ＮＯと、各定義ＮＯについての定義名及び帳票デザインデータを読み出すための帳票デザインデータ特定情報とを関連づけて登録した帳票定義テーブル１０６ａと、取引先コードと、取引先名と、定義ＮＯとを関連づけて登録した取引先マスタ１０６ｂと、前記印刷プログラムを起動し、ユーザ入力される取引先ＣＤをキーとして、取引先マスタ１０６ｂから定義ＮＯを取得し、取得した定義ＮＯをキーとして、帳票定義テーブル１０６ａから帳票デザイン特定情報を取得し、取得した帳票デザイン特定情報により帳票デザインデータを読み込んで、帳票印字データを出力することとしたので、取引先毎の要件を満たした帳票デザインの出力を１つの印刷プログラムで実行できるようにすることで、開発コストを低減することが可能となる。
【００３７】
また、本実施の形態によれば、前記帳票デザインデータは、各取引先の定型フォームであることとしたので、各取引先の帳票デザインの出力を１つの印刷プログラムで実行することが可能となる。
【００３８】
なお、本実施の形態では、各取引先の請求書の帳票を出力する場合について説明したが、請求書に限られず、見積書等の他の書類についても適用可能である。
【００３９】
［４．他の実施形態］
本発明は、上述した実施の形態以外にも、特許請求の範囲に記載した技術的思想の範囲内において種々の異なる実施形態にて実施されてよいものである。  
【００４０】
例えば、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。  
【００４１】
また、本明細書中や図面中で示した処理手順、制御手順、具体的名称、各処理の登録データや検索条件等のパラメータを含む情報、画面例、データベース構成については、特記する場合を除いて任意に変更することができる。
【００４２】
また、印字レイアウト切替装置１００に関して、図示の各構成要素は機能概念的なものであり、必ずしも物理的に図示の如く構成されていることを要しない。  
【００４３】
例えば、印字レイアウト切替装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて印字レイアウト切替装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。  
【００４４】
また、このコンピュータプログラムは、印字レイアウト切替装置１００に対して任意のネットワークを介して接続されたアプリケーションプログラムサーバに記憶されていてもよく、必要に応じてその全部または一部をダウンロードすることも可能である。  
【００４５】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。  
【００４６】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。  
【００４７】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。  
【００４８】
また、印字レイアウト切替装置１００は、既知のパーソナルコンピュータまたはワークステーション等の情報処理装置として構成してもよく、また、任意の周辺装置が接続された当該情報処理装置として構成してもよい。また、印字レイアウト切替装置１００は、当該装置に本実施形態で説明した処理を実現させるソフトウェア（プログラムまたはデータ等を含む）を実装することにより実現してもよい。  
【００４９】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。  
【符号の説明】
【００５０】
１００  印字レイアウト切替装置
１０２  制御部
１０２ａ  メンテ部
１０２ｂ  プログラム実行部
１０４  通信インターフェース部
１０６  記憶部
１０６ａ  帳票定義テーブル
１０６ｂ  取引先マスタ
１０８  入出力インターフェース部
１１２  入力装置
１１４  出力装置
２００  端末装置
３００  ネットワーク
【図１】
2019175381.tif 000003
【図２】
2019175381.tif 000004
【図３】
2019175381.tif 000005
【図４】
2019175381.tif 000006
【図５】
2019175381.tif 000007
【図６】
2019175381.tif 000008